(57)【要約】【課題】腹部上下方向の各位置の緊迫度を独立して段階的に調節でき、しかも、着用中の激しい運動によっても係止具が外れることがない腹巻を提供すること。【解決手段】帯状生地２と、帯状生地２の一端側裏面に帯状生地２の縦幅方向の略全幅に亘って１列配置で取り付けられた複数個のコハゼ３及びコハゼ３に対応して帯状生地２の他端側表面に帯状生地２の胴回り方向に所定間隔をおいて縦幅方向の略全幅に亘って並列配置で取り付けられた複数本の止め紐４とからなる第１の係止具５と、帯状生地２の一端側裏面に取り付けられた面ファスナーの雄係止部６及び雄係止部６に対応して帯状生地２の他端側表面に複数本の止め紐４の並列配置範囲と略同範囲に亘って取り付けられた面ファスナーの雌係止部７とからなる第２の係止具８とを備えており、第２の係止具８の面ファスナーの雄係止部６を第１の係止具５のコハゼ３よりも帯状生地２の一端側にのみ配置した。【選択図】図１
2008069508.tif 000002
【特許請求の範囲】
【請求項１】
腹部を覆う縦幅と胴回り方向に１周以上で２周以下の長さを有する帯状生地と、
前記帯状生地の一端側裏面に該帯状生地の縦幅方向の略全幅に亘って１列配置で取り付けられた複数個のコハゼ及び該コハゼに対応して前記帯状生地の他端側表面に該帯状生地の胴回り方向に所定間隔をおいて縦幅方向の略全幅に亘って並列配置で取り付けられた複数本の止め紐とからなる第１の係止具と、
前記帯状生地の一端側裏面に取り付けられた面ファスナーの雄係止部及び該雄係止部に対応して前記帯状生地の他端側表面に前記複数本の止め紐の並列配置範囲と略同範囲に亘って取り付けられた面ファスナーの雌係止部とからなる第２の係止具とを備えており、
前記帯状生地の一端側裏面に取り付けられた第２の係止具の面ファスナーの雄係止部
を第１の係止具のコハゼよりも前記帯状生地の一端側にのみ配置したことを特徴とする腹巻。
【請求項２】
前記第２の係止具の面ファスナーの雄係止部は、前記帯状生地の縦幅方向の略全幅に亘って細帯状に取り付けられていることを特徴とする請求項１に記載の腹巻。
【請求項３】
前記第２の係止具の面ファスナーの雄係止部は、前記第１の係止具のコハゼの取付位置から前記帯状生地の一端側に若干離隔して取り付けられていることを特徴とする請求項１又は２に記載の腹巻。
【請求項４】
前記第２の係止具の面ファスナーの雄係止部は、前記帯状生地の一端側端縁から他端側へ若干離隔して取り付けられていることを特徴とする請求項１〜３の何れかに記載の腹巻。
【請求項５】
前記第２の係止具の面ファスナーの雄係止部が取り付けられている方の帯状生地の端部には、前記面ファスナーの雄係止部を縦幅方向に複数に分断する切り欠き部が形成されているか、又は、切り欠き部が形成可能な切り取り用準備部が形成されていることを特徴とする請求項１〜４の何れかに記載の腹巻。
【請求項６】
腹部を覆う縦幅と胴回り方向に１周以上で２周以下の長さを有する帯状生地と、前記帯状生地の一端側裏面に取り付けられた面ファスナーの雄係止部及び該雄係止部に対応して前記帯状生地の他端側表面に取り付けられた面ファスナーの雌係止部とを備えており、前記帯状生地の一端には、前記面ファスナーの雄係止部を縦幅方向に複数に分断する切り欠き部が形成されているか、又は、切り欠き部が形成可能な切り取り用準備部が形成されていることを特徴とする腹巻。
【請求項７】
前記帯状生地は、表地と裏地と、その間に挿入された芯地とを重ね合わせて構成されていることを特徴とする請求項１〜６の何れかに記載の腹巻。
【請求項８】
前記帯状生地の表地と裏地との間に、鎖帷子状の防護ネットが着脱可能に挿入されていることを特徴とする請求項７に記載の腹巻。
【請求項９】
前記帯状生地の表地が皮革製とされ、裏地が布生地製とされていると共に、前記裏地が表地に対して着脱可能に構成されていることを特徴とする請求項７又は８に記載の腹巻。
【発明の詳細な説明】
【技術分野】
【０００１】
本発明は、例えば、祭りの装束としてやゴルフその他のスポーツ時の腹部および腰回り保護、その他、普段の健康のためなどに腹部に着用される腹巻の改良に関するものである。
【背景技術】
【０００２】
従来、例えば、祭りの装束の１つとして、腹巻が着用され、この腹巻として、縦幅３０ｃｍ程度、長さ５ｍ程度の白木綿の晒し生地が使用され、これを腹部に巻き付けて着用されている。
この場合、晒し生地の両端は、裁断されたままで係止具等は取り付けられていない。そのため、晒し生地を着用者の腹部に数回巻き付けて始端を押さえ、終端を巻き付け済みの生地間に折り込むように挟み込んで止めている。
しかし、祭りでは、激しい運動が伴うため、上記終端を巻き付け済みの生地間に挟み込んだだけでは、弛みやすく、頻繁に締め直しを行う必要があった。
【０００３】
なお、両端に係止具を備えた腹巻は、既に種々提案されており、例えば、コハゼによって緊迫力を調節可能に係止させるようにしたもの（特許文献１参照）や、面ファスナーによって緊迫力を調節可能に係止させるようにしたもの（特許文献２参照）が公知である。
【特許文献１】実開昭６４−３０３０２号公報
【特許文献２】実用新案登録第３０６５６０５号公報
【発明の開示】
【発明が解決しようとする課題】
【０００４】
前記コハゼ方式の係止具（特許文献１）は、腹巻の縦幅方向（腹部上下方向）に対してコハゼが不連続に段階的に設置されるため、緊迫力を腹部上下方向の各位置で独立して不連続に段階的に調節して係止できる利点がある。
これに対して、前記面ファスナー方式の係止具（特許文献２）は、腹巻の縦幅方向（腹部上下方向）に対して連続しているため、緊迫力の調節も腹部上下方向に連続して係止されてしまうことになり、前記コハゼ方式の係止具のように腹部上下方向の各位置で独立して不連続に段階的調節して係止することはできない。
【０００５】
一方、人の腹部の形状は、例えば、鼓型、円筒型、太鼓型、円錐型等、様々であり、前記面ファスナー方式の係止具であれば、腹巻の縦幅寸法が約３０ｃｍ程度あって手の把持幅（約１０ｃｍ程度）に比べて広幅であるため、一度に全幅に亘って把持することができず、例えば、縦幅方向の中央部を把持して緊締係止すると、縦幅方向の上下両端の面ファスナーの係止位置も中央部の係止位置に追従して係止されてしまうために腹部の形状に適合しない状態で係止され、また、上端側や下端側を把持して緊締係止すると、中央部や他端側が腹部の形状に適合しない状態で係止されてしまうという不具合があり、後で部分的に修正しようとしても、その分の係止を外すと、それに続く部分の係止までが一緒に外れてしまうことが避けられず、自由に係止位置を調節することができないという欠点があった。そのため、腹巻が着用者の腹部の形状に適合しない状態で装着されることになり、例えば、一番太い部分は丁度良いが、それより細い部分は緩みを生じて、着用中の動作によって、腹巻のズレが発生することが避けられなくなる等の欠点があった。
【０００６】
これに対して、前記コハゼ方式の係止具は、上記面ファスナー方式の係止具のような欠点はないが、上半身の捩れや腹筋の収縮時など着用者の運動が激しい場合、コハゼの係止が部分的に外れるという欠点がある。
本発明は、従来の腹巻の上記欠点に鑑みて提案されたもので、その目的とするところは、腹部上下方向の各位置の緊迫度を独立して段階的に調節でき、しかも、着用中の激しい運動によっても係止具が外れることがない腹巻を提供することにある。
【課題を解決するための手段】
【０００７】
前記目的を達成するために本発明は、腹部を覆う縦幅と胴回り方向に１周以上で２周以下の長さを有する帯状生地と、
前記帯状生地の一端側裏面に該帯状生地の縦幅方向の略全幅に亘って１列配置で取り付けられた複数個のコハゼ及び該コハゼに対応して前記帯状生地の他端側表面に該帯状生地の胴回り方向に所定間隔をおいて縦幅方向の略全幅に亘って並列配置で取り付けられた複数本の止め紐とからなる第１の係止具と、
前記帯状生地の一端側裏面に取り付けられた面ファスナーの雄係止部及び該雄係止部に対応して前記帯状生地の他端側表面に前記複数本の止め紐の並列配置範囲と略同範囲に亘って取り付けられた面ファスナーの雌係止部とからなる第２の係止具とを備えており、
前記帯状生地の一端側裏面に取り付けられた第２の係止具の面ファスナーの雄係止部を第１の係止具のコハゼよりも前記帯状生地の一端側にのみ配置したことを特徴としている。
【０００８】
特に、本発明は、第２の係止具の面ファスナーの雄係止部を第１の係止具のコハゼよりも前記帯状生地の一端側にのみ配置したことによって、第１の係止具のコハゼを止め紐に係止する際、面ファスナーの雄係止部を外側へ曲げて相手側の雌係止部に接着しないように離隔させた状態で係止操作することができる。
従って、本発明は、第１の係止具によって、腹部上下方向の各位置の緊迫度を独立して段階的に調節でき、しかも、第２の係止具によって、着用中の激しい運動によっても第１の係止具が外れることが防止される。即ち、本発明は、コハゼ方式の第１の係止具の利点を活かしつつその欠点を面ファスナー方式の第２の係止具によってカバーさせているため、着用者の腹部の形状に適合した装着状態を安定して保持させることができ、着用中に緩みやズレが生じない腹巻を提供することができる。
【０００９】
また、前記第２の係止具の面ファスナーの雄係止部は、前記帯状生地の縦幅方向の略全幅に亘って細帯状に取り付けられていることを特徴としている。この構成によれば、面ファスナー方式の係止具だけの場合に比較して、コハゼ方式の第１の係止具と併用しているため、第２の係止具である面ファスナーの雄係止部の必要幅を狭くすることができ、これによって、この面ファスナーの雄係止部の柔軟性が向上し、縦幅方向各部でコハゼを任意の緊迫度となる位置で止め紐に係止する操作を容易化（コハゼの止め紐への係止操作を妨げることを少なく）することができる。
【００１０】
また、前記第２の係止具の面ファスナーの雄係止部は、前記第１の係止具のコハゼの取付位置から前記帯状生地の一端側に若干離隔して取り付けられていることを特徴としている。この構成によれば、第１の係止具のコハゼを止め紐に係止する際、面ファスナーの雄係止部を外側に確実に折り曲げて係止操作することができ、例えば、腹部の最も太い部分を先にコハゼで止め、その後、腹部の細い部分を順次コハゼで止めるなどの緊迫度の調整操作を面ファスナーに妨げられることなく縦幅方向各部で独立して容易に行うことができ、最後に面ファスナーの雄係止部を雌係止部に押し当てて接着させることによって、コハゼが止め紐から外れることを防止することができる。
【００１１】
また、前記第２の係止具の面ファスナーの雄係止部は、前記帯状生地の一端側端縁から他端側へ若干離隔して取り付けられていることを特徴としている。この構成によれば、第２の係止具の面ファスナーの雄係止部を相手側の雌係止部に接着操作及び剥離操作する際、帯状生地の端縁が雄係止部よりも外側に食み出しているため、この食み出し部を掴んで操作でき、指に痛みを感じることなく前記面ファスナーの接着・剥離操作を容易に行うことができる。
また、前記第２の係止具の面ファスナーの雄係止部が取り付けられている方の帯状生地の端部には、前記面ファスナーの雄係止部を縦幅方向に複数に分断する切り欠き部が形成されていることを特徴としている。この構成によれば、各分断された面ファスナーの雄係止部を雌係止部に接着係止する位置を、胴回り方向である程度自由にずらせて接着係止することができる。従って、コハゼで階段状にずらせて係止した位置に合わせて面ファスナーの接着係止位置もずらせることができる。
【００１２】
この切り欠き部は、帯状生地の一端に当初から形成しておいてもよいが、後からハサミでカットして形成するようにしてもよい。この場合では、購入者が自分の体型に合うような帯状生地の締付位置（係止具の係止位置）を選べるように、切り欠き部の形成位置を選択してカットできるようにするもので、そのために、帯状生地の一端には、切り欠き部が形成可能な切り取り用準備部を適宜の間隔で縦幅方向に複数段に亘って形成した構成としておけばよい。
また、腹部を覆う縦幅と胴回り方向に１周以上で２周以下の長さを有する帯状生地と、前記帯状生地の一端側裏面に取り付けられた面ファスナーの雄係止部及び該雄係止部に対応して前記帯状生地の他端側表面に取り付けられた面ファスナーの雌係止部とを備えており、前記帯状生地の一端には、前記面ファスナーの雄係止部を縦幅方向に複数に分断する切り欠き部が形成されていることを特徴としている。この構成によれば、各分断された面ファスナーの雄係止部を雌係止部に接着係止する位置を、胴回り方向である程度自由にずらせて接着係止することができる。従って、コハゼと止め紐による第１の係止具を省略しても帯状生地を着用者の体型に適合させた締付状態に巻き付けて接着係止することができる。
【００１３】
この切り欠き部は、帯状生地の一端に当初から形成しておいてもよいが、後からハサミでカットして形成するようにしてもよい。この場合では、購入者が自分の体型に合うような帯状生地の締付位置（係止具の係止位置）を選べるように、切り欠き部の形成位置を選択してカットできるようにするもので、そのために、帯状生地の一端には、切り欠き部が形成可能な切り取り用準備部を適宜の間隔で縦幅方向に複数段に亘って形成した構成としておけばよい。
また、前記帯状生地は、表地と裏地と、その間に挿入された芯地とを重ね合わせて構成されていることを特徴としている。この構成によれば、芯地によって帯状生地に張り（剛性）が与えられ、腹部への巻き付け時、皺よりを防いで一様な帯幅で均整に巻き付けることができる。
【００１４】
また、前記帯状生地の表地と裏地との間に、鎖帷子状の防護ネットが着脱可能に挿入されていることを特徴としている。この構成によれば、危険が予想される場合には、鎖帷子状の防護ネットを帯状生地の表地と裏地との間に挿入介在させて装着することにより、万一、刃物による刺し傷を防護することができ、不要な場合は外すことができる。
また、前記帯状生地の表地が皮革製とされ、裏地が布生地製とされていると共に、前記裏地が表地に対して着脱可能に構成されていることを特徴としている。この構成によれば、表地を皮革製とすることによって腹巻を豪華なものとすることができ、裏地を布生地製とすることによって肌に馴染みやすくすることができると共に、表地に対して着脱可能とすることによって汚れた場合に裏地を外して洗濯することができる。
【発明の効果】
【００１５】
本発明によれば、腹部上下方向の各位置の緊迫度をコハゼ方式の第１の係止具によって独立して段階的に調節でき、しかも、面ファスナー方式の第２の係止具によって着用中の激しい運動によっても第１の係止具であるコハゼが外れることがない腹巻を提供することができる。
【発明を実施するための最良の形態】
【００１６】
以下、本発明の腹巻の実施形態を図面に基づいて説明する。
図１（Ａ）（Ｂ）（Ｃ）は本発明の腹巻の展開状態の概略裏面図、Ａ−Ａ断面図、表面図であり、図２〜図５は図１のＡ〜Ｄ部拡大図である。
本発明の腹巻１は、図１〜図５に示すように、帯状生地２と、コハゼ３及び止め紐４からなる第１の係止具５と、面ファスナーの雄係止部６及び雌係止部７からなる第２の係止具８とを備えている。
帯状生地２は、腹部を覆う縦幅と胴回り方向に１周以上で２周以下の長さを有する。この帯状生地２のサイズは、例えば、縦幅が約２９０ｍｍとされ、胴回り方向の長さを、各サイズ毎に、例えば、Ｓ＝６３ｃｍ、Ｍ＝８４ｃｍ、Ｌ＝１０５ｃｍ、ＬＬ＝１２６ｃｍとされる（但し、これに制約されず、適宜、変更可能である）。
【００１７】
前記第１の係止具５のうち、コハゼ３は、前記帯状生地２の一端（図１の左端）側裏面に該帯状生地２の縦幅方向の略全幅に亘って１列配置で複数個（例えば、１０〜１５個程度を等間隔で配置）が縫着などで取り付けられている。
また、第１の係止具５のうち、止め紐４は、前記コハゼ３に対応して前記帯状生地２の他端（図１の右端）側表面に該帯状生地２の胴回り方向に所定間隔をおいて縦幅方向の略全幅に亘って並列配置で複数本が等間隔で取り付けられている。
上記止め紐４の設置本数は、例えば、１０〜１３本程度とされ、その設置間隔は、例えば、約１５ｍｍ前後とされる。
【００１８】
上記止め紐４は、各列において、前記複数個のコハゼ３を１個ずつ挿入係止可能とするための係止孔部を前記コハゼ３の設置数と同数だけ縫い止めして形成している。即ち、止め紐４の縫い止め位置は、前記コハゼ３を挿入係止できる位置に対応させて等間隔に設定されている。
前記第２の係止具８の面ファスナーのうち、雄係止部６は、前記帯状生地２の一端側裏面（前記コハゼ３の取付面と同一の面）に縫着などで取り付けられている。この雄係止部６は、前記第１の係止具５のコハゼ３よりも前記帯状生地２の一端側に近い側にのみ前記帯状生地２の縦幅方向の略全幅に亘って細帯状（例えば、幅約２０ｍｍ程度）に取り付け配置されている。但し、上記雄係止部６の上下方向長さは、帯状生地２の縦幅よりも若干短く（例えば、上下各々約１０ｍｍ程度短く）されている。
【００１９】
また、上記雄係止部６は、コハゼ３の取付位置から前記帯状生地２の一端（図１の左端）側に若干離隔（例えば、約１０ｍｍ程度離隔）して取り付けられている。さらに、上記雄係止部６は、前記帯状生地２の一端（図１の左端）側端縁から他端（図１の右端）側へ若干離隔（例えば、約５ｍｍ程度離隔）して取り付けられ、これによって、帯状生地２の一端（図１の左端）側端縁が面ファスナーの雄係止部６から食み出させてあり、この食み出し部分を把持して面ファスナーの着脱操作を容易化している。
また、面ファスナーの雌係止部７は、前記雄係止部６に対応して前記帯状生地２の他端側表面（前記止め紐４の取付面と同一の面）に縫着などで取り付けられている。
【００２０】
上記面ファスナーの雌係止部７は、前記第１の係止具５の複数本の止め紐４の並列配置範囲と略同範囲（例えば、胴回り方向に約２００ｍｍ前後の長さ）に亘って取り付けられている。但し、上記雌係止部７は、複数本の止め紐４の内側端部（図１において右端）のものよりも雄係止部６の幅相当分（例えば、約２０ｍｍ程度）胴回り方向に長くして設置されている。
また、上記面ファスナーの雌係止部７の他端（図１の右端）側は、帯状生地２の他端（図１の右端）よりも内側に若干（例えば、約２０ｍｍ前後）引っ込めてある。さらに、上記面ファスナーの雌係止部７の上下方向長さは、帯状生地２の縦幅よりも若干（例えば、上下各々約１０ｍｍ程度）短くしてある。
【００２１】
本発明に係る腹巻１の実施形態は、以上の構成からなり、次にその機能を説明する。
本発明の腹巻１は、第２の係止具８の面ファスナーの雄係止部６を第１の係止具５のコハゼ３よりも帯状生地２の一端側に近い側にのみ配置したことによって、第１の係止具５のコハゼ３を止め紐４に係止する際、面ファスナーの雄係止部６を外側へ曲げて相手側の雌係止部７に係止しないように離隔させた状態で係止操作することができる。
従って、本発明の腹巻１は、第１の係止具５によって、腹部上下方向の各位置の緊迫度を独立して段階的に調節でき、しかも、第２の係止具８によって、着用中の激しい運動によっても第１の係止具５が外れることが防止される。即ち、本発明の腹巻１は、コハゼ方式の第１の係止具５の利点を活かしつつその欠点を面ファスナー方式の第２の係止具８によってカバーさせているため、着用者の腹部の形状に適合した装着状態を安定して保持させることができ、着用中に緩みやズレが生じない腹巻を提供することができる。
【００２２】
また、第２の係止具８の面ファスナーの雄係止部６は、帯状生地２の縦幅方向の略全幅に亘って細帯状に取り付けられているため、従来の面ファスナー方式の係止具だけの場合に比較して、コハゼ方式の第１の係止具５と併用しているため、第２の係止具８である面ファスナーの雄係止部６の必要幅を狭くすることができ、これによって、この面ファスナーの雄係止部６の柔軟性が向上し、縦幅方向各部でコハゼ３を任意の緊迫度となる位置で止め紐４に係止する操作を容易化（コハゼ３の止め紐４への係止操作を妨げることを少なく）することができる。
【００２３】
また、第２の係止具８の面ファスナーの雄係止部６は、第１の係止具５のコハゼ３の取付位置から帯状生地２の一端側に若干離隔して取り付けられているため、第１の係止具５のコハゼ３を止め紐４に係止する際、面ファスナーの雄係止部６を外側に確実に折り曲げて係止操作することができ、例えば、腹部の最も太い部分を先にコハゼ３で止め、その後、腹部の細い部分を順次コハゼ３で止めるなどの緊迫度の調整操作を面ファスナーに妨げられることなく縦幅方向各部で独立して容易に行うことができ、最後に面ファスナーの雄係止部６を雌係止部７に押し当てて接着係止させることによって、コハゼ３が止め紐４から外れることを防止することができる。
【００２４】
また、第２の係止具８の面ファスナーの雄係止部６は、帯状生地２の一端側端縁から他端側へ若干離隔して取り付けられているため、第２の係止具８の面ファスナーの雄係止部６を相手側の雌係止部７に接着操作及び剥離操作する際、帯状生地２の端縁が雄係止部６よりも外側に食み出しているため、この食み出し部を掴んで操作でき、指に痛みを感じることなく前記面ファスナーの接着・剥離操作を容易に行うことができる。
本発明の腹巻１の実施形態は、以上の構成及び機能からなるが、本発明は、これらの実施形態にのみ制約されるものではなく、適宜変形して実施してもよい。例えば、裏地は、吸湿性の高い生地としたり、或いは、通気性が高く、肌への接触感がさらっとした生地とし、この生地と表地との間に吸湿性の高い生地を配置したサンドイッチ構造としたり、その他、表地には、刺繍模様やプリント模様を施してもよい。また、第２の係止具８の面ファスナーの雄係止部６と雌係止部７とを前記実施形態と逆関係としてもよい。さらに、本発明の腹巻は、和服着用時やスポーツ時の女性の胸部を押さえる胸用コルセットとして利用することもできる。
【００２５】
なお、バストサイズの大きい女性の場合では、バストへの過度の圧迫を避けるため、帯状生地２の縦幅を短く、例えば、２２０ｍｍ程度として、帯状生地２の上縁がバストにかからないようにしてもよい。
また、上記帯状生地２には、適宜の生地が使用可能であり、例えば、祭り用の場合では、白木綿の晒し生地で構成されるのが普通であるが、これに制約されず、ジーンズ生地（デニム生地）、他の織物生地や編み物生地、その他、伸縮性に富む生地等で構成してもよく、さらに、表地と裏地とで生地の組成や色彩を異ならせたものとしてもよい。
【００２６】
上記帯状生地２は、図１（Ｂ）に示すように、本実施形態では、表地２ａと裏地２ｂとの間に芯地２ｃを挿入して構成している。この構成によれば、芯地２ｃによって帯状生地２に張り（剛性）が与えられ、腹部への巻き付け時、皺よりを防いで一様な帯幅で均整に巻き付けることができる。なお、芯地２ｃの挿入範囲は、帯状生地２の長手方向両端付近を除く範囲で、例えば、コハゼ３の取付位置付近から面ファスナーの雌係止部７の取付位置の手前までの範囲に挿入されるものである。
図示した本発明の腹巻１は、帯状生地２の周縁を折り返して袋縫いとした場合を例示しているが、これに代えて、生地端縁を被覆する断面Ｕ形状の縁テープを取り付けて、生地端縁の解れ止め加工を施してもよい。なお、帯状生地２の芯地２ｃの挿入範囲を含めて、キルティング加工状縫目９で表裏生地を一体化させている。
【００２７】
また、コハゼ３の取り付け部は、図示例では、コハゼ３の基部３ａを、図３に示すように、帯状生地２の表地２ａと裏地２ｂとの間に挟み込んで被覆状態で縫製しているため、この部分で帯状生地２をカットし、端部側の短い帯状生地２’に面ファスナーの雄係止部６を取り付けて、この生地２’を本体側の帯状生地２の端部に重ね合わせて縫着している。この場合、短い帯状生地２’のカット端は、図１（Ｃ）に示すように、オーバーロック縫いで解れ止めしている。なお、コハゼ３の取り付け部は、この縫製構造にのみ制約されず、例えば、帯状生地２をカットすることなく、コハゼ３の基部３ａを被覆せず、露出させたままで、帯状生地２の上に載せて直付け縫着してもよい。
【００２８】
上記帯状生地２は、その表地２ａを皮革製とし、裏地２ｂを汗取り等のために布生地（例えば、綿布等）製とし、皮革製の表地２ａに対して、スナップボタンやスライドファスナー或いは面ファスナーで着脱可能に取り付けて裏地２ｂだけを洗濯可能とした構成で実施してもよい。この構成によれば、表地２ａを皮革製とすることによって腹巻１を豪華なものとすることができ、裏地２ｂを布生地製とすることによって肌に馴染みやすくすることができると共に、表地２ａに対して着脱可能とすることによって汚れた場合に裏地２ｂを外して洗濯することができる。
【００２９】
前記第２の係止具８の面ファスナーの雄係止部６が取り付けられている方の帯状生地２の端部には、図１（Ａ）（Ｃ）に示すように、前記面ファスナーの雄係止部６を縦幅方向に複数に分断する切り欠き部１０が形成されている。この切り欠き部１０は、帯状生地２を縦幅方向に３等分する位置の２箇所に形成した場合を例示しているが、これに制約されず、例えば、縦幅方向の中央部にも追加して設けたり、４等分位置としたり適宜に設けてもよい。また、切り欠き部１０の形状は、Ｖ形状を例示しているが、これに制約されず、他の形状としてもよい。
【００３０】
このような切り欠き部１０を形成しておけば、各分断された面ファスナーの雄係止部６を雌係止部７に接着係止する位置を、胴回り方向である程度自由にずらせて接着係止することができる。従って、コハゼ３で階段状にずらせて係止した位置に合わせて面ファスナーの接着係止位置もずらせることができる。その結果、帯状生地２を着用者の腹部の体型に適合した状態に巻き付けて、その位置でコハゼ３を止め紐４に係止して止めた状態を面ファスナーで接着保持させる動作が容易に行えるようになる。
この切り欠き部１０は、帯状生地２の一端に当初から形成しておいてもよいが、後からハサミでカットして形成するようにしてもよい。この場合では、購入者が自分の体型に合うような帯状生地２の締付位置（係止具の係止位置）を選べるように、切り欠き部１０の形成位置を選択してカットできるようにするもので、そのために、帯状生地２の一端には、切り欠き部１０が形成可能な切り取り用準備部（図示省略）を適宜の間隔で縦幅方向に複数段に亘って形成した構成としておけばよい。この切り取り用準備部は、帯状生地２の表裏面の一方又は双方に切り取り用補助線として表示（例えば、印刷、吹き付け、捺染、描画等いずれでもよい）しておけばよい。そして、切り取り後の生地の解れ止めのために、前記補助線の外側（帯状生地２に残る側）に解れ止め用縫目を施しておくのが好ましい。
【００３１】
本発明はまた、上記実施形態において、第１の係止具５を省略し、第２の係止具８だけを設けて実施してもよい。この場合では、腹部を覆う縦幅と胴回り方向に１周以上で２周以下の長さを有する帯状生地２と、前記帯状生地２の一端側裏面に取り付けられた面ファスナーの雄係止部６及び該雄係止部６に対応して前記帯状生地２の他端側表面に取り付けられた面ファスナーの雌係止部７とを備えており、前記帯状生地２の一端には、前記面ファスナーの雄係止部６を縦幅方向に複数に分断する切り欠き部１０が形成されている構成で実施（図示省略）するものである。
【００３２】
この構成によれば、各分断された面ファスナーの雄係止部６を雌係止部７に接着係止する位置を、胴回り方向である程度自由にずらせて接着係止することができる。従って、コハゼ３と止め紐４による第１の係止具５を省略しても帯状生地２を着用者の体型に適合させた締付状態に巻き付けて接着係止することができる。
この切り欠き部１０は、帯状生地２の一端に当初から形成しておいてもよいが、後からハサミでカットして形成するようにしてもよい。この場合では、購入者が自分の体型に合うような帯状生地２の締付位置（係止具の係止位置）を選べるように、切り欠き部１０の形成位置を選択してカットできるようにするもので、そのために、帯状生地２の一端には、前記したように、切り欠き部１０が形成可能な切り取り用準備部（図示省略）を適宜の間隔で縦幅方向に複数段に亘って形成した構成としておけばよい。
【００３３】
また、本発明は、前記帯状生地２の表地２ａと裏地２ｂとの間に、鎖帷子状の防護ネット（図示省略）を着脱可能に挿入できるようにした構成で実施してもよい。この構成によれば、危険が予想される場合には、鎖帷子状の防護ネットを帯状生地２の表地２ａと裏地２ｂとの間に挿入介在させて装着することにより、万一、刃物による刺し傷を防護することができ、不要な場合は外すことができる。なお、鎖帷子状の防護ネットを帯状生地２に取り付けるには、表地２ａの裏面上縁に沿ってＵ形状のフックを長手方向に適宜の間隔で取り付けておき、このフックに防護ネットの上縁を吊り下げ係止するようにすればよい。
【００３４】
また、本発明は、上記鎖帷子状の防護ネットの代わりに、ナイロン製その他の材質よりなる保温シートを着脱可能に挿入できるようにし、装着時、発汗作用を促進してダイエット効果を上げる腹巻１として利用することもできる。この場合も、保温シートを取り出して洗濯等を容易にするものである。
また、本発明の腹巻１は、妊婦用腹帯として利用することもできる。この場合には、胎児の成長に伴って胴回り方向のサイズを、例えば、８０ｃｍ〜１５０ｃｍくらいまで段階的に調節できるように、面ファスナーの雌係止部７の胴回り方向の設置幅を幅広とするのが好ましい。
【００３５】
また、本発明の腹巻１には、財布入れ用の内ポケットや、タバコ、小銭入れ用外ポケットを付けてもよい。
さらに、本発明の腹巻１には、磁気粒子、その他、人体への指圧効果球体等のツボ刺激部材を背中側の所定位置に対応させてボタン状又はシート状に設けておいてもよい。
また、本発明の腹巻１は、帯状生地２の展開形状を、鼓型、扇形、その他、下縁が下方に凸円弧状になっているものなど、適宜の形状としてもよい。
なお、本発明の腹巻１は、右利き用と左利き用とのいずれにも適用でき、例えば、上下反転させることにより、共用できる。
【００３６】
また、本発明の腹巻１は、図６に示すように、帯状生地２の胴回り方向の複数箇所（図６は４箇所の場合を例示しているが、これに制約されず、適宜増減してもよい。）に縦幅方向に沿う切り目入れ用縫目１１を縦幅方向全長に亘って施している。この縫目１１は、各箇所で２条ずつ平行に施されており、この２条の縫目１１の間にハサミ等で切り目を入れることで、切り目入れ後、その切り目部分からの生地の解れを防止させるようにしている。このような切り目を入れるのは、帯状生地２の裾側を拡開可能とし、腹部及びウエスト部が細くヒップ部に向けて胴回り方向の周囲長さが大きくなる体型の着用者（例えば、女性）に無理なくフィットさせるためのものであって、購入者が自分の体型に合わせて適宜の箇所に切り目を入れるようにするものである。この切り目は、帯状生地２の縦幅方向の全幅に亘って入れるものではなく、下側（裾側）から１／３程度の長さまで入れるだけであって、この切り目を止める位置の目安として、この縫目１１に直交する縫目１２、１２を帯状生地２の縦幅方向の上下それぞれ約１／３の位置に胴回り方に沿って施している。なお、右利き用と左利き用とで上下反転させて使用可能とするため、縫目１１を縦幅方向全長に亘って施しており、上下いずれからでも切り目を１／３で止める目安として、縫目１２，１２を上下いずれからでも１／３の位置に施している。このような切り目入れに関する情報は、本発明の腹巻１の商品包装の説明書中にイラスト図入りで記載しておき、購入者が、商品を最適状態で使用できるようにしておくものである。
【図面の簡単な説明】
【００３７】
【図１】（Ａ）（Ｂ）（Ｃ）は本発明の腹巻の展開状態の概略裏面図、Ａ−Ａ断面図、表面図である。
【図２】図１のＡ部拡大図である。
【図３】図１のＢ部拡大図である。
【図４】図１のＣ部拡大図である。
【図５】図１のＤ部拡大図である。
【図６】本発明の腹巻の別の実施態様の展開状態を示す概略裏面図である。
【符号の説明】
【００３８】
１    腹巻
２    帯状生地
３    コハゼ
４    止め紐
５    第１の係止具
６    面ファスナーの雄係止部
７    面ファスナーの雌係止部
８    第２の係止具
９    キルティング加工状縫目
１０    切り欠き部
【図２】
2008069508.tif 000003
【図３】
2008069508.tif 000004
【図４】
2008069508.tif 000005
【図５】
2008069508.tif 000006
【図１】
2008069508.tif 000007
【図６】
2008069508.tif 000008